(57)【特許請求の範囲】
【請求項１】
被検出体の接触子を接離させる接点ばね部材として、絶縁ケースに保持される平板部と、この平板部の一端からＵ字状の反転部を介して延伸する弾性可動部と、前記平板部の他端から延伸して外部回路に接続される端子部とを備えた導電性金属板を用いる接点構造において、
前記弾性可動部の先端部分にその撓み方向に対して横向きに突出するフック部を設け、前記絶縁ケースにこのフック部と常時対向する規制壁を設けたことを特徴とする接点構造。
【請求項２】
請求項１の記載において、前記絶縁ケースに前記平板部の浮き上がりを防止する第１の係止部と該平板部の抜けを防止する第２の係止部とを設け、この第２の係止部を前記第１の係止部に対し前記反転部から離反させたことを特徴とする接点構造。
【発明の詳細な説明】
【０００１】
【発明の属する技術分野】
本発明は、導電性の金属板からなる接点ばね部材を被検出体に弾接させることで電気信号を取り出す接点構造に係り、例えば、被検出体であるデジタルビデオカセットの装填時にカセット識別情報などを取り出すためにデジタルビデオ記録再生装置に配備される接点構造に関する。
【０００２】
【従来の技術】
例えば、デジタルビデオ記録再生装置には、そこに装填されるデジタルビデオカセットのカセット識別情報等の電気信号を取り出すために、接点ばね部材を複数本（例えば４本）並設して構成される検出用接点ユニットが組み込まれており、その接点ばね部材を装填時のデジタルビデオカセットの金属露出部分（接触子）に弾接させることにより、このビデオカセットから電気信号が取り出せるようになっている。
【０００３】
従来より、特開平９−２７３６７号公報に記載されているように、接点ばね部材として導電性の金属板を用いた接点ユニットが知られている。図４はこのような接点ユニットの従来例を示すもので、導電性金属板からなる接点ばね部材１０には、両側縁に係止爪（図示せず）を有する平板部１１と、平板部１１の一端からＵ字状の反転部１２を介して延伸する弾性可動部１３と、平板部１１の他端から直角に折り曲げられて延伸する端子部１４とが一体形成されている。平板部１１は絶縁ケース１５の底面に形成された収納溝１６内に固定されており、前記係止爪が収納溝１６の内壁に食い込むことにより、絶縁ケース１５からの抜けが防止されている。また、弾性可動部１３の中間部分に山形状の接点部１３ａが形成されており、弾性可動部１３の先端は絶縁ケース１５の上部壁１７に弾接して位置規制されている。接点部１３ａはビデオカセットＣの進入路に配置されており、ビデオカセットＣが装填されると、接点部１３ａが該カセットＣの筐体部分の底面に設けられた接触子（図示せず）に弾接して図示下方へ押し込まれることにより、所望の接点圧が得られるようになっている。
【０００４】
このような接点ばね部材１０を使用して構成される従来の接点ユニットは、絶縁ケース１５の底面に形成された複数の収納溝１６に対応する接点ばね部材１０の平板部１１をそれぞれ圧入・固定することにより組み立てられ、その結果、各接点ばね部材１０の弾性可動部１３をそれぞれ独立に弾性変形させることが可能となる。また、かかる従来の接点ユニットを実装する際には、絶縁ケース１５をプリント基板（図示せず）上に載置した状態で、各接点ばね部材１０の端子部１４を外部検出回路にはんだ付けする。そして、プリント基板上に実装した接点ユニットは、デジタルビデオ記録再生装置内において、ビデオカセットＣの進入路を望む位置に組み込まれる。これにより、記録再生装置内へビデオカセットＣが挿入されていくと、該カセットＣの底面に設けられている前記接触子が、弾性可動部１３に当接してこれを押し撓めながら接点部１３ａに対して摺動していくので、接点ばね部材１０の端子部１４から該カセットＣに関する各種の電気信号を取り出すことができる。
【０００５】
【発明が解決しようとする課題】
ところで、上述した従来の接点ユニットにおいては、記録再生装置内へデジタルビデオカセットＣが挿入されて接点ばね部材１０の弾性可動部１３が押し撓められると、弾性可動部１３の先端が絶縁ケース１５の上部壁１７から離間してフリーな状態になるので、該カセットＣが記録再生装置内から抜き取られるときに発生する摩擦力などの外力により、弾性可動部１３の接点部１３ａが不所望に折れ曲がり、塑性変形を起こす可能性があった。そして、弾性可動部１３にこのような塑性変形が起こると、ビデオカセットＣが抜き取られて弾性可動部１３が自身の弾発力で初期位置へ戻ろうとしても、図４の２点鎖線で示すように、弾性可動部１３の先端が上部壁１７に正しく弾接されなくなり、接点部１３ａの初期位置が極端にずれてしまうので、この接点ばね部材１０では正確な検出が行えなくなってしまい、それゆえ接点ユニット自体の信頼性が著しく損なわれることとなる。
【０００６】
また、上述した従来の接点ユニットは、平板部１１の全体を絶縁ケース１５の収納溝１６内に圧入・固定することにより、接点ばね部材１０の絶縁ケース１５からの脱落を防止するようになっているため、接点ばね部材１０のばねとして機能する部分が反転部１２の根元から弾性可動部１３の先端までに限られてしまい、接点ばね部材１０に要求されるばね定数を十分に満足することができないという問題もあった。
【０００７】
【課題を解決するための手段】
本発明は、接点ばね部材の弾性可動部の先端部分にフック部を突設し、このフック部を常に絶縁ケースの壁面で位置規制することとする。このように構成すると、被検出体との摩擦などにより接点ばね部材の弾性可動部に対し座屈方向へ強い外力が作用したとしても、この弾性可動部の先端部分に設けたフック部が絶縁ケースの規制壁に当接して位置規制されるので、弾性可動部に不所望な塑性変形が起こりにくくなり、よって弾性可動部が動作不良を起こしにくくなる。
【０００８】
【発明の実施の形態】
本発明の接点構造では、被検出体の接触子を接離させる接点ばね部材として、絶縁ケースに保持される平板部と、この平板部の一端からＵ字状の反転部を介して延伸する弾性可動部と、前記平板部の他端から延伸して外部回路に接続される端子部とを備えた導電性金属板を用いる接点構造において、前記弾性可動部の先端部分にその撓み方向に対して横向きに突出するフック部を設け、前記絶縁ケースにこのフック部と常時対向する規制壁を設けた。
【０００９】
また、かかる構成に加えて、前記絶縁ケースに前記平板部の浮き上がりを防止する第１の係止部と該平板部の抜けを防止する第２の係止部とを設け、この第２の係止部を前記第１の係止部に対し前記反転部から離反させると、接点ばね部材のばねとして機能する部分が第１の係止部に当接する平板部を支点として決定されるため、接点ばね部材の脱落を第２の係止部によって確実に防止しつつ、ばねスパンを長くすることができる。
【００１０】
【実施例】
実施例について図面を参照して説明すると、図１は接点ユニットの分解斜視図、図２は該接点ユニットの要部を示す斜視図、図３は該接点ユニットの動作説明図である。
【００１１】
これらの図に示す接点ユニットは、装填されるデジタルビデオカセットのカセット識別情報等の電気信号を取り出すメモリーインスイッチとして、デジタルビデオ記録再生装置に配備されるものであり、外形形状を規定する絶縁ケース１と、この絶縁ケース１に複数本（実施例では４本）並べて組み込まれた接点ばね部材２とを具備している。
【００１２】
前記接点ばね部材２はリン青銅等の導電性金属板からなるもので、取付孔３ａを有する平板部３と、平板部３の一端からＵ字状の反転部４を介して延伸する弾性可動部５と、平板部３の他端から延伸する端子部６とが一体形成されている。弾性可動部５の先端部分には撓み方向に対して横向きに突出するフック部５ａが形成されており、また、弾性可動部５の中間部分には山形状の接点部５ｂが折曲加工されている。
【００１３】
一方、前記絶縁ケース１の底面には接点ばね部材２の平板部３を収納する凹溝１ａが設けてあり、凹溝１ａの内底面は段付き形状となっている。この段付き部分には凹溝１ａの相対向する側面から突出する一対の第１の係止部７が設けてあり、これら第１の係止部７の下面と凹溝１ａの内底面との間に平板部３が挿入されるようになっている。また、凹溝１ａの内底面には第１の係止部７よりも後方位置に第２の係止部８が突設されており、この第２の係止部８に平板部３の取付孔３ａが嵌め込まれるようになっている。さらに、絶縁ケース１には凹溝１ａの後端部に連通するスリット９が設けてあり、スリット９は前記弾性可動部５の撓み方向に沿って延びている。このスリット９の裏面は前記弾性可動部５のフック部５ａと常時対向する規制壁９ａとなっており、フック部５ａはこの規制壁９ａによって覆い隠されている。
【００１４】
このように構成された接点ユニットの組立工程で、各接点ばね部材２を絶縁ケース１に組み付ける際には、平板部３を絶縁ケース１の凹溝１ａへ差し込みながら、弾性可動部５を撓めてフック部５ａの基端側をスリット９内へ挿入させる。この場合、平板部３を第１の係止部７の下面と凹溝１ａの内底面との隙間に差し込んでいくと、平板部３は第２の係止部８を乗り上げて凹溝１ａの後方へ進み、取付孔３ａが第２の係止部８に落ち込んで嵌め込まれた位置で、接点ばね部材２の絶縁ケース１に対する取付位置が規定される。
【００１５】
また、このような接点ユニットを実装する際には、絶縁ケース１をプリント基板（図示せず）上に載置した状態で、各接点ばね部材２の端子部６を外部検出回路にはんだ付けする。そして、プリント基板上に実装した接点ユニットは、図３に示すように、デジタルビデオ記録再生装置内においてデジタルビデオカセットＣ（被検出体）の進入路を望む位置に組み込まれる。これにより、記録再生装置内へビデオカセットＣが挿入されていくと、該カセットＣの底面に設けられている接触子Ｃ１が接点ばね部材２の弾性可動部５に当接してこれを押し撓めながら接点部５ｂに対し摺動していくので、その接点ばね部材２の端子部６から該カセットＣに関する各種の電気信号を取り出すことができる。
【００１６】
上述した接点ユニットは、ビデオカセットＣが記録再生装置内から抜き取られるときに発生する摩擦力などの外力により、接点ばね部材２の弾性可動部５に対し座屈方向へ強い外力が作用した場合にも、この弾性可動部５の先端部分に設けたフック部５ａが絶縁ケース１の規制壁９ａに当接して位置規制されるようになっており、また、絶縁ケース１のスリット９に案内される弾性可動部５は横ぶれが規制されているので、フック部５ａが規制壁９ａから外れる虞はない。したがって、かかる外力により弾性可動部５が不所望な塑性変形を起こす可能性は極めて低い。つまり、上述した接点ユニットは、接点部５ｂの初期位置が大きくずれて検出に支障をきたすというような、塑性変形に起因する弾性可動部５の動作不良が起こりにくい構造になっており、信頼性が高まっている。
【００１７】
また、上述した接点ユニットは、第２の係止部８によって平板部３の抜け止めがなされるとともに、第１の係止部７によって平板部３の上方への移動（浮き上がり）が規制されているが、第１の係止部７から反転部４に至る部分の平板部３は絶縁ケース１によって何ら規制されない自由状態となっているため、接点ばね部材２のばねとして機能する部分は第１の係止部７を支点として決定されることになる。つまり、接点ばね部材２の脱落を確実に防止しつつ、ばねスパンを長くすることが可能ななり、接点ばね部材２に要求されるばね定数を十分に満足させることができる。
【００１８】
【発明の効果】
本発明は以上説明したような形態で実施され、以下に記載されるような効果を奏する。
【００１９】
被検出体の接触子を接離させる接点ばね部材として、絶縁ケースに保持される平板部と、この平板部の一端からＵ字状の反転部を介して延伸する弾性可動部と、前記平板部の他端から延伸して外部回路に接続される端子部とを備えた導電性金属板を用いる接点構造において、前記弾性可動部の先端部分にその撓み方向に対して横向きに突出するフック部を設け、前記絶縁ケースにこのフック部と常時対向する規制壁を設けると、被検出体との摩擦などにより接点ばね部材の弾性可動部に対し座屈方向へ強い外力が作用したとしても、この弾性可動部の先端部分に設けたフック部が絶縁ケースの規制壁に当接して位置規制されるので、弾性可動部に不所望な塑性変形が起こりにくくなり、よって弾性可動部の動作不良を防止して信頼性を向上することができる。
【００２０】
また、前記絶縁ケースに前記平板部の浮き上がりを防止する第１の係止部と該平板部の抜けを防止する第２の係止部とを設け、この第２の係止部を前記第１の係止部に対し前記反転部から離反させると、接点ばね部材のばねとして機能する部分が第１の係止部に当接する平板部を支点として決定されるため、接点ばね部材の脱落を第２の係止部によって確実に防止しつつ、ばねスパンを長くすることができる。
【図面の簡単な説明】
【図１】実施例に係る接点ユニットの分解斜視図である。
【図２】該接点ユニットの要部を示す斜視図である。
【図３】該接点ユニットの動作説明図である。
【図４】従来の接点ユニットを示す動作説明図である。
【符号の説明】
１  絶縁ケース
１ａ  凹溝
２  接点ばね部材
３  平板部
３ａ  取付孔
４  反転部
５  弾性可動部
５ａ  フック部
５ｂ  接点部
６  端子部
７  第１の係止部
８  第２の係止部
９  スリット
９ａ  規制壁
【図１】
0003668599.tif 000002
【図２】
0003668599.tif 000003
【図３】
0003668599.tif 000004
【図４】
0003668599.tif 000005